(57)【要約】【課題】  製品の美観を損ねることなく、且つ製品の小型化に寄与することができるレンズ交換式カメラを提供する。【解決手段】  デジタルカメラ２は、レンズユニット１１がマウント３０を介してカメラ本体２ａの前面に着脱自在とされたレンズ交換式カメラであり、レンズユニット１１がカメラ本体２ａから離脱された状態のときに、カメラ本体２ａ内に収納される収納位置と、レンズユニットをカメラ本体２ａに装着するときに、カメラ本体２ａから外部に露呈される露呈位置との間で、マウント３０を移動させるマウント移動機構３６を備える。【選択図】        図４
2006235077.tif 000002
【特許請求の範囲】
【請求項１】
撮像レンズと、撮像レンズを透過した被写体像を撮像する撮像素子とを有するレンズユニットが、マウントを介してカメラ本体に着脱自在とされたレンズ交換式カメラにおいて、
前記レンズユニットが前記カメラ本体から離脱された状態のときに、前記カメラ本体内に収納される収納位置と、
前記レンズユニットを前記カメラ本体に装着するときに、前記カメラ本体から外部に露呈される露呈位置との間で、前記マウントを移動させるマウント移動機構を備えたことを特徴とするレンズ交換式カメラ。
【請求項２】
前記マウント移動機構の動作と連動して、前記マウントが前記収納位置に移動されたときには、前記マウントを覆うように閉じ、
前記マウントが前記露呈位置に移動されたときには、前記マウントを露呈させるように開く扉を設けたことを特徴とする請求項１に記載のレンズ交換式カメラ。
【請求項３】
前記マウントに配された前記レンズユニットと電気的に接続するための端子を、前記レンズユニットと前記カメラ本体との嵌合力を増す方向に付勢する付勢部材を設けたことを特徴とする請求項１または２に記載のレンズ交換式カメラ。
【発明の詳細な説明】
【技術分野】
【０００１】
本発明は、撮像レンズと撮像素子とを有するレンズユニットが、マウントを介して本体に着脱自在とされたレンズ交換式カメラに関する。
【背景技術】
【０００２】
ＣＣＤなどの固体撮像素子で撮像した被写体像をデジタルの画像データに変換し、内蔵メモリやメモリカードなどの記憶媒体に記憶するデジタルカメラが普及している。このようなデジタルカメラには、撮像レンズと撮像素子とを有するレンズユニットが、マウントを介してカメラ本体に着脱自在とされた、いわゆるレンズ交換式カメラがある。
【０００３】
上記のようなレンズ交換式カメラには、レンズユニットの装着、非装着に関わらず、カメラ本体内を的確に保護するために、レンズユニット挿入部の前面を覆うバリアを備え、レンズユニットの装着、非装着に伴ってバリアを開閉するものが提案されている（特許文献１参照）。
【０００４】
また、レンズの装着時にバックフォーカス調整を必要とせず、業務用に供されるような所定の制御機能を有するレンズユニットの交換が手軽に行えるように、撮像レンズと、光学的ローパスフィルタと、バックフォーカス調整が行われた撮像素子と、合焦および露出に関する制御を行うための制御手段とを備えたレンズユニットを用いたものが提案されている（特許文献２参照）。
【０００５】
さらに、レンズユニットとカメラとの継続的な互換性を確保し、容易にカメラのシステムの拡張を行うために、レンズユニットのオスコネクタが将来増設された場合に備えて、増設されたオスコネクタを収納可能な空間をカメラ本体に予め設けたものが提案されている（特許文献３参照）。
【特許文献１】特開平８−１７１１３０号公報
【特許文献２】特開２０００−１０６６４０号公報
【特許文献３】特開２００３−２１５６８９号公報
【発明の開示】
【発明が解決しようとする課題】
【０００６】
ところで、レンズ交換式カメラのマウントには、従来、ネジ式やバヨネット式が採用されていた。また、特許文献１に記載のレンズ交換式カメラのように、カム溝とカムピンを採用したものや、特許文献２および３に記載のレンズ交換式カメラのように、カメラ本体側のコントローラと電気信号の遣り取りをするための信号端子をコネクタ化したものもある。
【０００７】
しかしながら、ネジ式やバヨネット式を採用した従来のマウントでは、レンズユニットが本体から離脱された状態でマウントが外部に露呈されるので、製品の美観を損ねるという問題があった。ここで、特許文献１および２に記載のレンズ交換式カメラでは、レンズユニットが本体から離脱された状態でカム溝やコネクタが外部に露呈されることはないが、レンズユニットを嵌め込むための大きなスペースをカメラ本体側で確保する必要があり、近年の製品の小型化の趨勢に反するものであった。
【０００８】
本発明は、上記課題を鑑みてなされたものであり、製品の美観を損ねることなく、且つ製品の小型化に寄与することができるレンズ交換式カメラを提供することを目的とする。
【課題を解決するための手段】
【０００９】
上記目的を達成するために、本発明は、撮像レンズと、撮像レンズを透過した被写体像を撮像する撮像素子とを有するレンズユニットが、マウントを介してカメラ本体に着脱自在とされたレンズ交換式カメラにおいて、前記レンズユニットが前記カメラ本体から離脱された状態のときに、前記カメラ本体内に収納される収納位置と、前記レンズユニットを前記カメラ本体に装着するときに、前記カメラ本体から外部に露呈される露呈位置との間で、前記マウントを移動させるマウント移動機構を備えたことを特徴とする。
【００１０】
なお、前記マウント移動機構の動作と連動して、前記マウントが前記収納位置に移動されたときには、前記マウントを覆うように閉じ、前記マウントが前記露呈位置に移動されたときには、前記マウントを露呈させるように開く扉を設けることが好ましい。
【００１１】
また、前記マウントに配された前記レンズユニットと電気的に接続するための端子を、前記レンズユニットと前記カメラ本体との嵌合力を増す方向に付勢する付勢部材を設けることが好ましい。
【発明の効果】
【００１２】
本発明のレンズ交換式カメラによれば、レンズユニットがカメラ本体から離脱された状態のときに、カメラ本体内に収納される収納位置と、レンズユニットをカメラ本体に装着するときに、カメラ本体から外部に露呈される露呈位置との間で、マウントを移動させるマウント移動機構を備えたので、製品の美観を損ねることなく、且つ製品の小型化に寄与することができる。
【発明を実施するための最良の形態】
【００１３】
図１において、本発明を適用したデジタルカメラ２は、撮像レンズ１０を有するレンズユニット１１が、マウント３０（図４参照、詳しくは後述）を介してカメラ本体２ａの前面に着脱自在とされた、いわゆるレンズ交換式カメラである。
【００１４】
カメラ本体２ａの前面中央には、マウント３０を収納するマウント収納部１２（図３および図４参照、詳しくは後述）が組み込まれており、その周囲には、ファインダ対物窓１３、ストロボ発光窓１４、およびマウント操作スイッチ１５が配されている。カメラ本体２ａの上面には、レリーズボタン１６、および電源スイッチ１７が設けられており、側面には、メモリカード６０（図７参照）が着脱自在に装填されるメモリカードスロットを覆う蓋１８が設けられている。
【００１５】
レリーズボタン１６は、２段階押しのスイッチとなっている。被写体のフレーミングの後に、レリーズボタン１６を軽く押圧（半押し）すると、自動露出調整（ＡＥ）、自動焦点調整（ＡＦ）などの各種撮影準備処理が施される。この状態でレリーズボタン１６をもう１度強く押圧（全押し）すると、撮影準備処理が施された１画面分の撮像信号が画像データに変換された後、後述する画像処理および圧縮処理が施され、メモリカード６０に記憶される。
【００１６】
図２において、デジタルカメラ２の背面には、ファインダ接眼窓１９、液晶表示器（ＬＣＤ）２０、および操作部２１が設けられている。ＬＣＤ２０は、撮影した画像やいわゆるスルー画像、各種メニュー画面を表示する。操作部２１は、モード切替えスイッチ２２、撮像レンズ１０のズームレンズをワイド側、テレ側に変倍するズーム操作ボタン２３、および、ＬＣＤ２０にメニュー画面を表示させる際や、選択内容を決定する際に操作されるメニューボタン２４などから構成される。
【００１７】
デジタルカメラ２では、静止画撮影を行う静止画撮影モード、動画撮影を行う動画撮影モード、撮影した画像をＬＣＤ２０に表示する再生モード、および各種設定を行う設定モードが選択可能となっている。これらのモードの切り替えは、モード切替えスイッチ２２をスライド操作させることで行われる。なお、動画撮影モードでは、動画の撮影とともに、図示しないマイクロホンを介して周囲の音声が収録される。
【００１８】
図３および図４において、マウント収納部１２には、マウント３０が収納されている。マウント３０の前板３０ａには、略Ｕ字状の溝３１が形成されている。また、マウント３０の前板３０ａ、底板３０ｂ、側板３０ｃ、および仕切り板３０ｄで囲まれた空間は、メス型の嵌合部３２となっている。これらの溝３１、および嵌合部３２には、レンズユニット１１のオス型の嵌合部４０の基幹４１、および平板４２（ともに図６参照）がそれぞれ嵌め込まれる。
【００１９】
両側板３０ｃには、ラック３３が形成されている。このラック３３は、マウント３０内部に設けられたピニオンギヤ３４と噛合している。ピニオンギヤ３４には、モータ３５が接続されている。モータ３５の駆動によりピニオンギヤ３４が回転されると、ラック３３を介してマウント３０が図４の矢印方向に移動される。これにより、マウント３０は、レンズユニット１１がカメラ本体２ａから離脱された状態のときには、図３に示す収納位置に移動され、レンズユニット１１をカメラ本体２ａに装着するときには、図４に示す露呈位置に移動される。なお、ラック３３、ピニオンギヤ３４、およびモータ３５は、マウント移動機構３６を構成している。
【００２０】
仕切り板３０ｄには、レンズユニット１１と電気的に接続するための複数の端子３７が配されている。端子３７には、シリアルドライバ６７（図７参照）を介してレンズユニット１１と信号を遣り取りする信号端子や、電力供給部６８（図７参照）の電力をレンズユニット１１に供給するための電源端子が用意されている。
【００２１】
図５に示すように、端子３７は、仕切り板３０ｄを貫通しており、仕切り板３０ｄで隔てられたマウント３０の内部に配置された、略コ字状に屈曲した板バネ３８により、マウント３０の前面３０ａの方向に付勢されている。
【００２２】
図３および図４に戻って、マウント収納部１２の前面には、上扉３９ａおよび下扉３９ｂが取り付けられている。これら上扉３９ａおよび下扉３９ｂは、モータ３５の駆動に伴うピニオンギヤ３４の回転と連動して、マウント３０が図３の収納位置に移動されたときには、マウント１２を覆うように閉じ、マウント３０が図４の露呈位置に移動されたときには、マウント３０を露呈させるように開くような構成となっている。
【００２３】
図６において、レンズユニット１１の背面には、略Ｔ字状のオス型の嵌合部４０が設けられている。嵌合部４０は、マウント３０の溝３１と嵌合する基幹４１と、この基幹４１に一体的に連結され、マウント３０の嵌合部３２と嵌合する平板４２とからなる。平板４２には、マウント３０の仕切り板３０ｄに配された端子３７と対向する位置に、デジタルカメラ２と電気的に接続するための複数の端子４３が配されている。
【００２４】
デジタルカメラ２の電気的構成を示す図７において、ＣＰＵ５０は、バス５１を介してデジタルカメラ２の各部を統括的に制御する。システムメモリ５２は、撮影シーケンスを行うための各種プログラムが記憶されるＲＯＭや、プログラムの実行に必要な各種データが一時記憶されるＲＡＭから構成される。不揮発性メモリ５３は、ＥＥＰＲＯＭなどの書き換え可能な記憶媒体からなり、デジタルカメラ２を動作させるために必要な各種データが記録される。ＣＰＵ５０は、システムメモリ５２のＲＯＭや不揮発性メモリ５３に記憶されたプログラムやデータを作業用メモリであるＲＡＭに読み出し、これらに基づいてデジタルカメラ２各部の制御を行う。
【００２５】
ＵＳＢコネクタ５４には、ＵＳＢケーブルが接続され、ＵＳＢドライバ５５を介して、パーソナルコンピュータなどの外部機器との間でデータの送受信を行う。Ｉ／Ｏポート５６には、前述のレリーズボタン１６を含む操作部２１が接続され、操作部２１を介して入力された信号をＣＰＵ５０に送信する。ＣＰＵ５０は、Ｉ／Ｏポート５６から送信された信号に応じて、デジタルカメラ２の各部を動作させる。
【００２６】
信号処理回路５７は、後述するシリアルドライバ６７を介してレンズユニット１１から送信されるデジタルの画像データに対して、輪郭強調、ガンマ補正、ホワイトバランス調整などの各種信号処理を施す。画像圧縮・伸張回路５８は、信号処理回路５７で各種信号処理が施された画像データに所定の圧縮形式（例えばＪＰＥＧ形式）で圧縮処理を施す。圧縮処理後の画像データは、カードＩ／Ｆ５９を経由してメモリカード６０に記録される。
【００２７】
フレームメモリ６１には、信号処理回路５７で各種信号処理が施された１フレーム分の画像データが書き込まれる。ＬＣＤドライバ６２は、フレームメモリ６１に書き込まれた画像データをＮＴＳＣ方式に変換し、ＬＣＤ２０に表示させる。
【００２８】
ストロボ装置６３は、ストロボ制御回路６４により動作制御され、ストロボ発光窓１４から被写体に向けてストロボ光を発する。タイマ６５は、セルフ撮影時の撮影の遅延時間などを計時する。カレンダー・時計回路６６は、撮影日時の管理や、デジタルカメラ２を動作させる際に必要なシステムクロックを発生させる。
【００２９】
シリアルドライバ６７は、端子３７によるレンズユニット１１とのデータの授受を媒介する。電力供給部６８は、バッテリーや電池からの電力をデジタルカメラ２の各部に供給するとともに、端子３７を介して、レンズユニット１１に電力を供給する。
【００３０】
レンズユニット１１の電気的構成を示す図８において、ＣＰＵ７０は、バス７１を介してレンズユニット１１の各部を統括的に制御する。システムメモリ７２は、各種プログラムが記憶されるＲＯＭや、プログラムの実行に必要な各種データが一時記憶されるＲＡＭから構成される。不揮発性メモリ７３は、ＥＥＰＲＯＭなどの書き換え可能な記憶媒体からなり、レンズユニット１１を動作させるために必要な各種データが記録される。ＣＰＵ７０は、システムメモリ７２のＲＯＭや不揮発性メモリ７３に記憶されたプログラムやデータを作業用メモリであるＲＡＭに読み出し、これらに基づいてレンズユニット１１各部の制御を行う。
【００３１】
撮像レンズ１０、および絞り７４には、レンズモータ７５、およびアイリスモータ７６が接続されている。これらのモータ７５、７６はステッピングモータからなり、ＣＰＵ７０に接続されたモータドライバ７７、７８から送信される駆動パルスにより動作制御され、レリーズボタン１６の半押しに伴う撮影準備処理を行う。
【００３２】
レンズモータ７５は、ズーム操作ボタン２３の操作に連動して、撮像レンズ１０のズームレンズをワイド側、あるいはテレ側に移動させる。また、被写体距離やズームレンズの変倍に応じて撮像レンズ１０のフォーカスレンズを移動させ、撮影条件が最適となるように焦点調整を行う。アイリスモータ７６は、絞り７４を動作させ、露出調整を行う。
【００３３】
撮像レンズ１０の背後には、撮像レンズ１０を透過した被写体像が撮像されるＣＣＤ７９が配置されている。ＣＣＤ７９には、ＣＰＵ７０によって制御されるタイミングジェネレータ（ＴＧ）８０が接続され、このＴＧ８０から入力されるタイミング信号（クロックパルス）により、電子シャッタのシャッタ速度が決定される。
【００３４】
ＣＣＤ７９から出力された撮像信号は、信号処理回路８１に入力される。信号処理回路８１は、ＣＣＤ７９から出力された撮像信号を、ＣＣＤ７９の各セルの蓄積電荷量に正確に対応したＲ、Ｇ、Ｂの画像データとして出力し、所定の増幅率で増幅する。Ａ／Ｄ変換器（Ａ／Ｄ）８２は、信号処理回路８１で増幅されたアナログの画像データを、デジタルの画像データに変換する。
【００３５】
ＡＥ／ＡＦ検出回路８３は、Ａ／Ｄ８２から出力されたデジタルの画像データを参照して、露出量、すなわち電子シャッタのシャッタ速度、および絞り７４の絞り値が撮影に適切か否かを検出するとともに、撮像レンズ１０の焦点調整が撮影に適切か否かを検出する。このＡＥ／ＡＦ検出回路８３は、レリーズボタン１６の半押し時に、バス７１を介してＣＰＵ７０に検出結果を逐次送信する。ＣＰＵ７０は、ＡＥ／ＡＦ検出回路８３から送信される検出結果に基づいて、撮像レンズ１０、絞り７４、およびＣＣＤ７９の動作を制御する。
【００３６】
シリアルドライバ８４は、Ａ／Ｄ８２から出力されたデジタルの画像データをデジタルカメラ２の信号処理回路５７に送信するなど、端子４３によるデジタルカメラ２とのデータの授受を媒介する。電力供給部８５は、端子４３を介してデジタルカメラ２の電力供給部６８から供給された電力を、レンズユニット１１の各部に供給する。
【００３７】
次に、上記構成を有するデジタルカメラ２の動作について説明する。まず、レンズユニット１１をデジタルカメラ２に装着する際には、マウント操作スイッチ１５をオンする。マウント操作スイッチ１５がオンされると、マウント収納部１２のモータ３５が駆動されてピニオンギヤ３４が回転され、マウント３０が収納位置から露呈位置に移動される。このとき、ピニオンギヤ３４の回転と連動して、上扉３９ａおよび下扉３９ｂがマウント３０を露呈させるように開かれる。
【００３８】
次いで、レンズユニット１１の嵌合部４０の基幹４１をマウント３０の溝３１に、平板４２を嵌合部３２に嵌め込み、マウント３０を介してレンズユニット１１をカメラ本体２ａに装着する。これにより、マウント３０、レンズユニット１１の各々の端子３７、４３が電気的に接続される。また、板バネ３８で付勢された端子３７により、マウント３０とレンズユニット１１との嵌合が強固になされる。
【００３９】
レンズユニット１１をカメラ本体２ａに装着した後、デジタルカメラ２で被写体の撮影を行う際には、モード切替えスイッチ２２を操作して静止画撮影モード、あるいは動画撮影モードを選択する。
【００４０】
撮影モード下において、レンズユニット１１の撮像レンズ１０、絞り７４を介して入射した被写体光は、ＣＣＤ７９により光電変換され、信号処理回路８１でサンプリング、増幅され、Ａ／Ｄ８２でデジタルの画像データに変換される。
【００４１】
デジタル変換された画像データは、ＡＥ／ＡＦ検出回路８３に送信される。また、シリアルドライバ８４により、デジタルカメラ２の信号処理回路５７に送信される。ＡＥ／ＡＦ検出回路８３では、レリーズボタン１６の半押しに伴って、画像データが参照されて露出量、焦点が検出され、この検出結果に基づいて撮影準備処理が施される。
【００４２】
シリアルドライバ６７によりレンズユニット１１から送信された画像データは、シリアルドライバ６７により信号処理回路５７に送信される。そして、信号処理回路５７で各種信号処理が施された後、フレームメモリ６１に格納され、ＬＣＤドライバ６２を介してＬＣＤ２０にスルー画像として表示される。また、レリーズボタン１６の全押しにより撮影が実行されると、静止画撮影モード下では、そのときフレームメモリ６１に格納されている画像データが画像圧縮・伸長回路５８で圧縮処理され、カードＩ／Ｆ５９を経由してメモリカード６０に記録される。
【００４３】
一方、動画撮影モード下では、レリーズボタン１６が再度全押しされるまで、一定のフレームレート（例えば３０フレーム／秒）で画像データが記録される。また、これと同時にマイクロホンを介して周囲の音声が収録される。マイクロホンで収録された音声は、画像データと関連付けられてメモリカード６０に記録される。
【００４４】
撮影終了後、レンズユニット１１を引き上げて嵌合部３２と嵌合部４０との嵌合を解除し、レンズユニット１１をカメラ本体２ａから離脱させて、マウント操作スイッチ１５をオフにする。マウント操作スイッチ１５がオフされると、マウント収納部１２のモータ３５が駆動されてピニオンギヤ３４が回転され、マウント３０が露呈位置から収納位置に移動される。このとき、ピニオンギヤ３４の回転と連動して、上扉３９ａおよび下扉３９ｂがマウント３０を覆うように閉じられる。
【００４５】
以上詳細に説明したように、レンズユニット１１がカメラ本体２ａから離脱された状態のときに、カメラ本体２ａ内に収納される収納位置と、レンズユニット１１をカメラ本体２ａに装着するときに、カメラ本体２ａから外部に露呈される露呈位置との間で、マウント３０を移動させるようにしたので、製品の美観を損ねることなく、且つ製品の小型化に寄与することができる。
【００４６】
また、マウント３０が収納位置にあるときには、上扉３９ａおよび下扉３９ｂによってマウント３０が覆われるので、防塵、防水性能を向上させることができる。さらに、レンズユニット１１とカメラ本体２ａとの嵌合力が増す方向に、板バネ３８で端子３７を付勢したので、レンズユニット１１とカメラ本体２ａとの嵌合がより強固になり、使用時にレンズユニット１１がカメラ本体２ａから外れて、落下・破損するおそれがない。
【００４７】
なお、マウント収納部およびマウント、並びにレンズユニットの構造としては、上記実施形態に限らず、例えば図９および図１０に示すマウント収納部９０およびマウント９１、並びに図１１に示すレンズユニット１００を採用してもよい。
【００４８】
図１０に示すマウント９１は、略Ｌ字状の形状を有する。マウント９１の前面９１ａと対向する裏面９１ｂには、マウント３０の場合と同様に、端子９２が配されている。マウント９１は、側面９１ｃに形成されたラック９３、マウント９１内部に設けられたピニオンギヤ９４、およびピニオンギヤ９４に接続されたモータ９５からなるマウント移動機構９６により、図９に示す収納位置と、図１０に示す露呈位置との間で移動される。なお、図示はしていないが、端子９２にも、マウント３０の端子３７の場合と同様に、収納位置の方向に端子９２を付勢する板バネが取り付けられている。
【００４９】
図１１において、レンズユニット１００の背面には、略コ字状のメス型の嵌合部１０１が設けられている。嵌合部１０１は、マウント９１のＬ字状に屈曲した部分が嵌め込まれる嵌合穴１０１ａからなる。嵌合穴１０１ａには、マウント９１の端子９２と対向する位置に、デジタルカメラ２側と電気信号の遣り取りをするための複数の信号端子１０２が配されている。
【００５０】
なお、マウント移動機構としては、上記実施形態のラック、ピニオンギヤ、およびモータに限らず、バネやロック機構などの機械的な構成を採用して、手動で押すことによりマウントを移動させるようにしてもよい。また、上記実施形態で挙げたマウントの構成は一例であり、上記実施形態の直線的な移動のみならず、回転や斜め方向の移動を可能とする構成であってもよく、本発明を特に限定するものではない。つまり、レンズユニットがカメラ本体から離脱された状態のときにカメラ本体内に収納され、レンズユニットをカメラ本体に装着するときにカメラ本体から外部に露呈されるものであれば、いかなる構成でもよい。
【００５１】
上記実施形態では、撮像装置として、デジタルカメラ２を例示して説明したが、本発明はこれに限定されず、他の撮像装置、例えば、カメラ付き携帯電話などにも適用することができる。
【図面の簡単な説明】
【００５２】
【図１】本発明を適用したデジタルカメラの正面外観斜視図である。
【図２】デジタルカメラの背面外観図である。
【図３】マウントが収納位置にあるときのマウント収納部の構成を示す斜視図である。
【図４】マウントが露呈位置にあるときのマウント収納部の構成を示す斜視図である。
【図５】マウント収納部の内部構成を示す平面図である。
【図６】レンズユニットの構成を示す斜視図である。
【図７】デジタルカメラの電気的構成を示すブロック図である。
【図８】レンズユニットの電気的構成を示すブロック図である。
【図９】マウント収納部の別の実施形態を示す斜視図である。
【図１０】マウント収納部の別の実施形態を示す斜視図である。
【図１１】レンズユニットの別の実施形態を示す斜視図である。
【符号の説明】
【００５３】
２  デジタルカメラ
２ａ  カメラ本体
１０  撮像レンズ
１１  レンズユニット
１２、９０  マウント収納部
１５  マウント操作スイッチ
１６  レリーズボタン
２０  液晶表示器（ＬＣＤ）
３０、９１  マウント
３３、９３  ラック
３４、９４  ピニオンギヤ
３５、９５  モータ
３６、９６  マウント移動機構
３７、９２  端子
３８  板バネ
３９ａ、３９ｂ  上扉、下扉
５０  ＣＰＵ（デジタルカメラ）
７０  ＣＰＵ（レンズユニット）
７９  ＣＣＤ
【図１】
2006235077.tif 000003
【図２】
2006235077.tif 000004
【図３】
2006235077.tif 000005
【図４】
2006235077.tif 000006
【図５】
2006235077.tif 000007
【図６】
2006235077.tif 000008
【図７】
2006235077.tif 000009
【図８】
2006235077.tif 000010
【図９】
2006235077.tif 000011
【図１０】
2006235077.tif 000012
【図１１】
2006235077.tif 000013